(57)【要約】【課題】振動等の外力が加わる環境においても安定して給電及び受電を行うことができる給電コネクタ、受電コネクタ及び給電システムを提供する。【解決手段】電力を供給するための給電コネクタ２０と、電力の供給を受けるための受電コネクタ１０と、を含む給電システム１００であって、給電コネクタ２０は、円型又はリング型の領域内に配置された複数の端子を含む第１の給電端子２７ａ乃至２７ｈと、前記第１の給電端子の外側にあるリング型の領域内に配置された複数の端子を含む第２の給電端子２８ａ乃至２８ｈと、を有し、前記受電コネクタ１０は、円型又はリング型の第１の受電端子１１と、前記第１の給電端子１１の外側に配置されたリング型の第２の受電端子１２と、を含み、前記第１の給電端子１１及び前記第１の受電端子２７ａ乃至２７は第１の極性を有し、前記第２の給電端子１２及び前記第２の受電端子２８ａ乃至２８ｈは第２の極性を有する。【選択図】図１
2019185987.tif 000002
【特許請求の範囲】
【請求項１】
電力を供給するための給電コネクタと、電力の供給を受けるための受電コネクタと、を含む給電システムであって、
前記給電コネクタは、
円型又はリング型の領域内に配置された複数の端子を含む第１の給電端子と、
前記第１の給電端子の外側にあるリング型の領域内に配置された複数の端子を含む第２の給電端子と、を有し、
前記受電コネクタは、
円型又はリング型の第１の受電端子と、
前記第１の給電端子の外側に配置されたリング型の第２の受電端子と、を含み、
前記第１の給電端子及び前記第１の受電端子は第１の極性を有し、前記第２の給電端子及び前記第２の受電端子は前記第１の極性とは異なる第２の極性を有することを特徴とする
給電システム。
【請求項２】
前記給電コネクタと前記受電コネクタとが磁力により結合することを特徴とする
請求項１記載の給電システム。
【請求項３】
前記給電コネクタ及び前記受電コネクタはそれぞれ、前記第１の給電端子と前記第１の受電端子とを結合させ、かつ前記第２の給電端子と前記第２の受電端子とを結合させるためのガイドリングを有することを特徴とする
請求項１記載の給電システム。
【請求項４】
電力を供給するための給電コネクタであって、
円型又はリング型の領域内に配置された複数の端子を含む第１の給電端子と、
前記第１の給電端子の外側にあるリング型の領域内に配置された複数の端子を含む第２の給電端子と、を有し、
前記第１の給電端子は第１の極性を有し、前記第２の給電端子は前記第１の極性とは異なる第２の極性を有することを特徴とする
給電コネクタ。
【請求項５】
電力の供給を受けるための受電コネクタであって、
円型又はリング型の第１の受電端子と、
前記第１の給電端子の外側に配置されたリング型の第２の受電端子と、を含み、
前記第１の受電端子は第１の極性を有し、前記第２の受電端子は前記第１の極性とは異なる第２の極性を有することを特徴とする
受電コネクタ。
【発明の詳細な説明】
【技術分野】
【０００１】
本発明は、給電コネクタ、受電コネクタ及び給電システムに関し、特に、振動等の外力が加わる環境においても安定して給電及び受電を行うことができる給電コネクタ、受電コネクタ及び給電システムに関する。
【背景技術】
【０００２】
携帯端末装置等を含む電気製品（以下、受電装置という）に対し、安定して給電（受電装置の動作やバッテリーの充電等に必要な電力を供給することをいう。以下、単に給電と称する）を行うための装置（以下、給電装置という）が種々提案されている。特に、円型又はリング型の給電コネクタ及び受電コネクタを有することにより、端子の接触の維持に関する性能等を向上させた給電装置及び受電装置が知られている。
【０００３】
例えば特許文献１には、特定の回転力に対して頑健な給電コネクタ及び受電コネクタが開示されている。図１３は、このような給電コネクタ及び受電コネクタの一例である送電コネクタ４６及び受電コネクタ４９の端子の構造を示す平面図（ａ）（ｂ）及び断面図（ｃ）である。送電コネクタ４６は略円盤形であり、半リング状の送電端子４７ａ（プラス極）及び４７ｂ（マイナス極）を有する。受電コネクタ４９も略円盤形であり、円環上に互いに離間して配置された複数の受電端子５１ａ乃至５１ｆを有する。送電コネクタ４６と受電コネクタ４９とを、円の中心を互いに合わせるように対向させて結合させると、受電端子５１ａ乃至５１ｆの約半数の受電端子は送電端子４７ａ（プラス極）に、他の受電端子は送電端子４７ｂ（マイナス極）に接触する。受電端子５１ａ乃至５１ｆにはそれぞれダイオードが接続されており、接触した送電端子４７ａ又は４７ｂの極性とダイオードの極性とが適合する場合にのみ通電する。
【０００４】
送電コネクタ４６と受電コネクタ４９とが、円の中心を互いに結ぶ軸（図１３ではＺ軸。以下、挿入軸という）まわりに回転すると、送電端子４７ａ又は４７ｂと、接触相手となる受電端子５１ａ乃至５１ｆとの対応関係は変化する。しかしながら、その時々で送電端子４７ａ又は４７ｂの極性と適合する極性を有する受電端子５１ａ乃至５１ｆに通電するため、通電状態が損なわれる可能性が抑制される。
【先行技術文献】
【特許文献】
【０００５】
【特許文献１】特開平０８−０１７５３８号公報
【発明の概要】
【発明が解決しようとする課題】
【０００６】
特許文献１記載の装置は、送電コネクタ４６と受電コネクタ４９との間にはたらく挿入軸周りのモーメントに対しては頑健である。一方、挿入軸に垂直な軸（図１３ではＸ軸やＹ軸）回りのモーメント（送電コネクタ４６と受電コネクタ４９とをめくり剥がすような力）が加わると、送電端子４７ａ又は４７ｂの少なくとも一方において、通電していた受電端子５１ａ乃至５１ｆが全て分離してしまい、通電状態が失われることがある。
【０００７】
挿入軸に垂直な軸回りのモーメントは、例えば振動や重力等の外力により生じることがある。送電コネクタ４６又は受電コネクタ４９を備えるデバイスの形状や、デバイス上の送電コネクタ４６と受電コネクタ４９の位置等により、挿入軸に垂直な軸回りのモーメントの大きさによる悪影響は無視できないものとなりうる。
【０００８】
本発明は、このような問題点を解決するためになされたものであり、振動等の外力が加わる環境においても安定して給電及び受電を行うことができる給電コネクタ、受電コネクタ及び給電システムを提供することを目的とする。
【課題を解決するための手段】
【０００９】
本発明の一実施形態にかかる給電システムは、電力を供給するための給電コネクタと、電力の供給を受けるための受電コネクタと、を含む給電システムであって、前記給電コネクタは、円型又はリング型の領域内に配置された複数の端子を含む第１の給電端子と、前記第１の給電端子の外側にあるリング型の領域内に配置された複数の端子を含む第２の給電端子と、を有し、前記受電コネクタは、円型又はリング型の第１の受電端子と、前記第１の給電端子の外側に配置されたリング型の第２の受電端子と、を含み、前記第１の給電端子及び前記第１の受電端子は第１の極性を有し、前記第２の給電端子及び前記第２の受電端子は前記第１の極性とは異なる第２の極性を有することを特徴とする。
本発明の一実施形態にかかる給電システムは、前記給電コネクタと前記受電コネクタとが磁力により結合することを特徴とする。
本発明の一実施形態にかかる給電システムは、前記給電コネクタ及び前記受電コネクタはそれぞれ、前記第１の給電端子と前記第１の受電端子とを結合させ、かつ前記第２の給電端子と前記第２の受電端子とを結合させるためのガイドリングを有することを特徴とする。
本発明の一実施形態にかかる給電コネクタは、電力を供給するための給電コネクタであって、円型又はリング型の領域内に配置された複数の端子を含む第１の給電端子と、前記第１の給電端子の外側にあるリング型の領域内に配置された複数の端子を含む第２の給電端子と、を有し、前記第１の給電端子は第１の極性を有し、前記第２の給電端子は前記第１の極性とは異なる第２の極性を有することを特徴とする。
本発明の一実施形態にかかる受電コネクタは、電力の供給を受けるための受電コネクタであって、円型又はリング型の第１の受電端子と、前記第１の給電端子の外側に配置されたリング型の第２の受電端子と、を含み、前記第１の受電端子は第１の極性を有し、前記第２の受電端子は前記第１の極性とは異なる第２の極性を有することを特徴とする。
【発明の効果】
【００１０】
本発明により、振動等の外力が加わる環境においても安定して給電及び受電を行うことができる給電コネクタ、受電コネクタ及び給電システムを提供することができる。
【図面の簡単な説明】
【００１１】
【図１】受電コネクタ１０の外観を示す斜視図である。
【図２】給電コネクタ２０の外観を示す斜視図である。
【図３】受電コネクタ１０の端子面側の平面図である。
【図４】給電コネクタ２０を端子面側の平面図である。
【図５】受電コネクタ１０と給電コネクタ２０との接続前の状態を示す断面図である。
【図６】受電コネクタ１０と給電コネクタ２０との接続後の状態を示す断面図である。
【図７】受電コネクタ１０の断面図である。
【図８】給電コネクタ２０の断面図である。
【図９】受電コネクタ１０の端子面の裏側の平面図である。
【図１０】給電コネクタ２０の端子面の裏側の平面図である。
【図１１】受電コネクタ１０の側面図である。
【図１２】給電コネクタ２０の側面図である。
【図１３】従来の給電コネクタ及び受電コネクタの一例を示す図である。
【発明を実施するための形態】
【００１２】
本発明の実施の形態にかかる給電システム１００は、受電装置１及び給電装置２を有する。受電装置１は、給電装置２から電力の供給を受ける装置であり、例えば携帯端末装置等である。給電装置２は、受電装置１に電力を供給する装置であり、例えば充電器等である。
【００１３】
受電装置１は受電コネクタ１０を有する。給電装置２は給電コネクタ２０を有する。受電コネクタ１０と、給電コネクタ２０と、は結合されたときに通電し、給電装置２から受電装置１への電力供給が行われる。
【００１４】
図１は、受電コネクタ１０の外観を示す斜視図である。図３は、受電コネクタ１０を端子類の実装側（以下、端子面という）の平面図である。図９は、受電コネクタ１０の端子面の裏側の平面図である。図１１は、受電コネクタ１０の側面図である。
【００１５】
受電コネクタ１０の外形は略円盤型であり、端子面側には受電端子１１、受電端子１２、絶縁部１３、絶縁部１４、導線１５、導線１６を有する。
【００１６】
受電端子１１及び受電端子１２は、金属板等の導電体である。受電端子１１の形状は、円型又はリング型の平板である。受電端子１２の形状は、リング型の平板である。受電端子１１と、受電端子１２と、は互いに異なる極性を有する。例えば中心部に設けられた受電端子１１はプラス極、受電端子１１より外側に設けられた受電端子１２はマイナス極である。換言すれば、円型の受電コネクタ１０は、円の中心からの距離に応じて極性が変化する複数の電極（受電端子１１及び受電端子１２）有している。
【００１７】
絶縁部１３及び絶縁部１４は、樹脂等の絶縁体である。絶縁部１３は受電端子１１と受電端子１２の間に壁状に設けられる。絶縁部１４は受電端子１２の外側に壁状に設けられる。絶縁部１３及び絶縁部１４は、受電コネクタ１０と、給電コネクタ２０と、を結合する際にガイドリングとして機能する。
【００１８】
導線１５及び導線１６は、表面が絶縁体で被覆された導電体である。導線１５の一端は受電端子１１に電気的に接続され、他端は負荷に電気的に接続される。導線１６の一端は受電端子１２に電気的に接続され、他端は負荷に電気的に接続される。
【００１９】
図２は、給電コネクタ２０の外観を示す斜視図である。図４は、給電コネクタ２０を端子類の実装側（端子面）の平面図である。図１０は、給電コネクタ２０の端子面の裏側の平面図である。図１２は、給電コネクタ２０の側面図である。
【００２０】
給電コネクタ２０の外形も略円盤型であり、端子面側に磁石２１、磁石２２ａ乃至２２ｈ、絶縁部２３、絶縁部２４、導線２５、導線２６、給電端子２７ａ乃至２７ｈ、給電端子２８ａ乃至２８ｈを有する。
【００２１】
磁石２１は、円型の給電コネクタ２０の略中心に配置される。磁石２１は、受電コネクタ１０と、給電コネクタ２０と、を結合する際に、受電端子１１に吸着する。磁石２２ａ乃至２２ｈは、円型の中心から所定の半径を隔てた円環上に互いに離間して配置される。磁石２２ａ乃至２２ｈは、受電コネクタ１０と、給電コネクタ２０と、を結合する際に、受電端子１２に吸着する。なお、本実施の形態では、磁石２１として１個、磁石２２ａ乃至２２ｈとして７個の磁石を配置した例を示すが、本発明はこれに限定されるものでなく、任意の個数の磁石を配置して良い。磁石の個数を増減することにより、吸着強度を容易に調整することができる。
【００２２】
絶縁部２３及び絶縁部２４は、樹脂等の絶縁体である。絶縁部２３は、後述する給電端子２７ａ乃至２７ｈと、給電端子２８ａ乃至２８ｈと、の間に壁状に設けられる。絶縁部２４は、給電端子２８ａ乃至２８ｈの外側に壁状に設けられる。絶縁部２３及び絶縁部２４は、受電コネクタ１０と、給電コネクタ２０と、を結合する際にガイドリングとして機能する。
【００２３】
導線２５及び導線２６は、表面が絶縁体で被覆された導電体である。導線２５の一端は給電端子２７ａ乃至２７ｈに電気的に接続され、他端は電源に電気的に接続される。導線２６の一端は給電端子２８ａ乃至２８ｈに電気的に接続され、他端は電源に電気的に接続される。
【００２４】
給電端子２７ａ乃至２７ｈは、受電コネクタ１０と、給電コネクタ２０と、が結合されたときに両者を電気的に接続するためのスイッチである。給電端子２７ａ乃至２７ｈは、円型の中心から所定の半径ｒ１を隔てた円環上に互いに離間して配置される。例えば給電端子２７ａ乃至２７ｈは、金属板等の導電体でできた板ばねを備える。板ばねは、例えば円型又はリング型の金属板等の導電体の基盤の上に、絶縁体の土台を介して設置される。導電体の基盤は、導線２５に電気的に接続される。受電コネクタ１０と、給電コネクタ２０と、が結合されると、給電端子２７ａ乃至２７ｈの備える板ばねが変形し、基盤と、対向する受電端子１１と、を短絡する。
【００２５】
給電端子２８ａ乃至２８ｈも、給電端子２７ａ乃至２７ｈと同様の構成を有する。給電端子２８ａ乃至２８ｈは、受電コネクタ１０と、給電コネクタ２０と、が結合されたときに両者を電気的に接続するためのスイッチである。給電端子２８ａ乃至２８ｈは、円型の中心から所定の半径ｒ２を隔てた円環上に互いに離間して配置される（ｒ１＜ｒ２）。例えば給電端子２８ａ乃至２８ｈは、金属板等の導電体でできた板ばねを備える。板ばねは、例えばリング型の金属板等の導電体の基盤の上に、絶縁体の土台を介して設置される。導電体の基盤は、導線２６に電気的に接続される。受電コネクタ１０と、給電コネクタ２０と、が結合されると、給電端子２８ａ乃至２８ｈの備える板ばねが変形し、基盤と、対向する受電端子１２と、を短絡する。
【００２６】
給電端子２７ａ乃至２７ｈと、給電端子２８ａ乃至２８ｈと、は互いに異なる極性を有する。例えば中心寄りに設けられた給電端子２７ａ乃至２７ｈはプラス極、給電端子２７ａ乃至２７ｈより外側に設けられた給電端子２８ａ乃至２８ｈはマイナス極である。換言すれば、円型の給電コネクタ２０は、円の中心からの距離に応じて極性が変化する複数の電極（給電端子２７ａ乃至２７ｈ、及び給電端子２８ａ乃至２８ｈ）を有している。
【００２７】
給電端子２７ａ乃至２７ｈと受電端子１１、及び給電端子２８ａ乃至２８ｈと受電端子１２がそれぞれ短絡すると、電源と負荷とが電気的に接続され、給電装置２から受電装置１へ給電が行われる。
【００２８】
図５及び図６は、受電コネクタ１０と、給電コネクタ２０と、を接続する際の様子を示す断面図である。受電コネクタ１０の断面は、図３の切断線ａ−ａ’によるものである。給電コネクタ２０の断面は、図４の切断線ｂ−ｂ’によるものである。
【００２９】
受電コネクタ１０の絶縁部１３は、給電コネクタ２０の絶縁部２３よりも若干径が小さく、絶縁部２３の内側に絶縁部１３が嵌合する。受電コネクタ１０の絶縁部１４は、給電コネクタ２０の絶縁部２４よりも若干径が大きく、絶縁部１４の内側に絶縁部２４が嵌合する。このように、絶縁部１３と絶縁部２３、絶縁部１４と絶縁部２４は、受電コネクタ１０と、給電コネクタ２０と、を接続する際に嵌合するガイドリングとして機能する。これにより、接続を容易かつ確実に行うことが可能となる。また接続後に、受電コネクタ１０又は給電コネクタ２０に挿入軸に垂直方向の外力が加わっても、結合が外れたり、プラス極とマイナス極とが短絡したりすることを抑制できる。
【００３０】
受電コネクタ１０と、給電コネクタ２０と、の端子面同士をガイドリングに従って近接させると、受電端子１２と、磁石２２ａ乃至２２ｈと、が磁力により吸着する。同様に受電端子１１と、磁石２１と、が磁力により吸着する。これにより、受電コネクタ１０と、給電コネクタ２０と、が結合される。
【００３１】
図５に示すように、給電端子２８ａ乃至２８ｈの板ばねは、結合前は他の導電体と接触しない状態で絶縁体の土台に支えられている。図６に示すように、受電コネクタ１０と、給電コネクタ２０と、が結合すると、給電端子２８ａ乃至２８ｈの板ばねの頭部が受電端子１１に接触する。このとき、板ばねが受電端子１１により押し付けられて変形し、一部が導電体の基盤（給電コネクタ２０の底面、給電端子２８ａ乃至２８ｈの絶縁体の土台の下に敷設されている）に接触する。これにより、受電コネクタ１０と給電コネクタ２０のプラス極の端子同士が電気的に接続された状態となる。
【００３２】
同様に、図５及び図６には描写されていないが、受電コネクタ１０と、給電コネクタ２０と、が結合すると、給電端子２７ａ乃至２７ｈの板ばねの頭部が受電端子１２に接触する。このとき、板ばねが受電端子１２により押し付けられて変形し、一部が導電体の基盤（給電コネクタ２０の底面、給電端子２７ａ乃至２７ｈの絶縁体の土台の下に敷設されている）に接触する。これにより、受電コネクタ１０と給電コネクタ２０のマイナス極の端子同士が電気的に接続された状態となる。
【００３３】
こうしてプラス及びマイナスの両極が接続されると、給電装置２に接続された電源から、受電装置１に接続された負荷に対し電力供給が開始される。
【００３４】
図７は、図３の切断線ａ−ａ’における受電コネクタ１０の断面図である。絶縁部１４及び絶縁部１３の高さは、受電端子１２及び受電端子１１よりもｄ１だけ高くなっている。これにより、仮に端子面に金属製品などが接触した場合においても、受電端子１２と受電端子１１とが短絡することを抑制でき、安全性が向上する。
【００３５】
図８は、図４の切断線ｂ−ｂ’における給電コネクタ２０の断面図である。絶縁部２４及び絶縁部２３の高さは、磁石２１や磁石２２ａ乃至２２ｈよりもｄ２だけ高くなっている。これにより、仮に端子面に金属製品などが接触した場合においても、意図しない吸着等を抑制できる。また絶縁部２４及び絶縁部２３の高さは、給電端子２７ａ乃至２７ｈや給電端子２８ａ乃至２８ｈよりもｄ３だけ高くなっている。これにより、仮に端子面に金属製品などが接触した場合においても、給電端子２７ａ乃至２７ｈと給電端子２８ａ乃至２８ｈとが短絡することを抑制でき、安全性が向上する。
【００３６】
本実施の形態にかかる給電システム１００は、例えば携帯端末装置の車載充電システムに適用可能である。給電装置２は、車内に固定されて電源と接続された、携帯端末装置の車載ホルダ兼充電器である。受電装置１は充電用ケースを装着した携帯端末装置である。受電装置１において、充電用ケースの背面には受電コネクタ１０が設けられ、導線１５及び導線１６は携帯端末装置の充電用端子に接続される。給電装置２には、携帯端末装置の背面に対向する位置に給電コネクタ２０が設けられる。ユーザが、携帯端末装置の背面に設けられた受電コネクタ１０を給電コネクタ２０に近づけると、磁力により携帯端末装置が車載ホルダ兼充電器に吸着され、磁力とガイドリングとにより固定される。車載環境においては加減速や振動による外力が給電システム１００に加わるが、給電システム１００はこれらの外力に対し頑健であるため、安定的に携帯端末装置に対する給電が行われる。
【００３７】
本実施の形態によれば、受電コネクタ１０、給電コネクタ２０はそれぞれ、中心からの距離に応じて極性が異なる、円型又はリング型に配置された複数の端子を有する。これにより、受電コネクタ１０と、給電コネクタ２０と、の間に挿入軸回りのモーメントが加わって回転が生じた場合であっても、受電コネクタ１０と給電コネクタ２０のプラス極同士、及びマイナス極同士の接触は維持されるから、安定して電力を供給し続けることができる。また、受電コネクタ１０と、給電コネクタ２０と、の間に挿入軸に垂直な軸回りのモーメントが加わって、一部の端子において接触状態が失われたとしても、少なくともプラス極の端子の一部、及びマイナス極の端子の一部が接触し続けている限り、給電が停止しない。また、特許文献１記載の技術のように、回転に応じ端子の極性を変化させる必要がないので、ダイオードや極性判別回路が不要であり、コストを抑制できる。
【００３８】
なお、本発明は上記実施の形態に限られたものではなく、趣旨を逸脱しない範囲で適宜変更することが可能である。例えば、上述の実施の形態では、給電及び受電側ともに、円の中心寄りに配置した端子をプラス極、その外側に環状に配置した端子をマイナス極としたが、極性は逆であっても良い。
【００３９】
また、上述の実施の形態では、給電及び受電側ともに、円の中心部に配置した端子と、その外側に環状に配置した端子と、の２層構造を採用したが、層の数を増やしても良い。例えば、円の中心部に配置した端子（１層目）、その外側に環状に配置した端子（２層目）、さらにその外側に環状に配置した端子（３層目）、さらにその外側に環状に配置した端子（４層目）・・・というように、ｎ層の同心円状に端子を配置しても良い。この場合、端子の極性は円の中心からの距離に応じて変化させることができる。すなわち、１層目がプラス極であれば、２層目がマイナス極、３層目がプラス極、４層目がマイナス極というように、交互に異なる極性となるよう構成できる。
【００４０】
また、給電及び受電側ともに、必ずしも円の中心部に端子を配置する必要はなく、例えば円の中心から距離ｒａを隔てたリング状の領域に１つの極性の給電及び受電端子、円の中心から距離ｒｂ（ｒａ≠ｒｂ）を隔てたリング状の領域に他の極性の給電及び受電端子をそれぞれ配置しても良い。特に、端子を円の中心から遠い位置に配置するほど、振動等の外力に対する頑健性を高めることができる。
【００４１】
また、給電端子群は必ずしも円環上に所定間隔で離間して整列配置する必要はなく、一定の幅を持つ（内径と外径を有する）リング型である受電端子に対応する領域内、すなわち受電端子に接触可能な位置に配置されるのであれば、配置の態様は任意であって差し支えない。
【００４２】
また、上述の実施の形態では、給電コネクタ２０において、磁石と給電端子とを円環上に交互に配置する例を示したが、本発明はこれに限定されるものでなく、磁石は任意の位置に配置して良い。例えば、給電端子ｍ個ごとに磁石１個を配置しても良い。又は、給電端子と磁石とを円の中心からの放射方向に並べて配置しても良い。あるいは、特定の層にのみ磁石を配置することとしても良い。
【００４３】
また、上述の実施の形態では、給電コネクタ２０が磁石を有する構成を示したが、本発明はこれに限定されるものでなく、例えば受電装置１側が磁石を有し、給電コネクタ２０側にが磁石に吸着可能な金属板等を備えるよう構成しても良い。
【００４４】
また、上述の実施の形態で例示した給電端子、磁石、ガイドリングの個数はあくまで例示であり、任意の数に変更して良い。特に、磁石及び給電端子の数を増やすことにより、振動等の外力に対する頑健性を高めることができる。
【００４５】
また、上述の実施の形態で開示した給電端子２７ａ乃至２７ｈ、給電端子２８ａ乃至２８ｈのスイッチ構造もあくまで例示であり、受電コネクタ１０と給電コネクタ２０とが結合したときに電気的な接続を成立させるものであれば、いかなる形態を採用してもかまわない。
【符号の説明】
【００４６】
１００  給電システム
１  受電装置
１０  受電コネクタ
１１  受電端子
１２  受電端子
１３  絶縁部
１４  絶縁部
１５  導線
１６  導線
２  給電装置
２０  給電コネクタ
２１  磁石
２２ａ，２２ｂ，２２ｃ，２２ｄ，２２ｅ，２２ｆ，２２ｇ，２２ｈ  磁石
２３  絶縁部
２４  絶縁部
２５  導線
２６  導線
２７ａ，２７ｂ，２７ｃ，２７ｄ，２７ｅ，２７ｆ，２７ｇ，２７ｈ  給電端子
２８ａ，２８ｂ，２８ｃ，２８ｄ，２８ｅ，２８ｆ，２８ｇ，２８ｈ  給電端子
【図１】
2019185987.tif 000003
【図２】
2019185987.tif 000004
【図３】
2019185987.tif 000005
【図４】
2019185987.tif 000006
【図５】
2019185987.tif 000007
【図６】
2019185987.tif 000008
【図７】
2019185987.tif 000009
【図８】
2019185987.tif 000010
【図９】
2019185987.tif 000011
【図１０】
2019185987.tif 000012
【図１１】
2019185987.tif 000013
【図１２】
2019185987.tif 000014
【図１３】
2019185987.tif 000015